(57)【特許請求の範囲】
【請求項１】
採光プリズムの回転角を太陽の高度・方位に応じて制御し、前記採光プリズムにより屈折した太陽光が所定方向に出射するようにした太陽光採光装置において、原点位置検出装置は、前記採光プリズムの原点となる前記採光プリズムと一体の回転リングの外周部の基準位置に設けられる原点ドックと、前記回転リングの回転軌跡中で前記原点ドックによって作動される原点スイッチとを含んでおり、前記原点スイッチはコロ型式のアクチュエータ部を有することを特徴とする太陽光採光装置における原点位置検出装置。
【請求項２】
採光プリズムの回転角を太陽の高度・方位に応じて制御し、前記採光プリズムにより屈折した太陽光が所定方向に出射するようにした太陽光採光装置において、原点位置検出装置は、前記採光プリズムの原点となる前記採光プリズムの外周部の基準位置に設けられる原点ドックと、前記採光プリズムの回転軌跡中で前記原点ドックによって作動される原点スイッチとを含んでおり、前記原点スイッチはコロ型式のアクチュエータ部を有することを特徴とする太陽光採光装置における原点位置検出装置。
【発明の詳細な説明】
【０００１】
【発明の属する技術分野】
最近、太陽光を室内の照明等に使用するための太陽光採光装置の実用化が進められている。
ところで、太陽はその高度・方位等が時々刻々と変動するので、この変動に対応して太陽光採光装置を構成する採光プリズムの回転角（プリズム角）を適切となるように制御する必要がある。従って、採光プリズムの回転角を制御するために、基準位置としての原点を設け、この原点位置を採光プリズムの回転中に検出し、この原点位置を基に採光プリズムに対する回転角の制御指令を与えるようにしている。
本発明は、このような採光プリズムの回転角の制御に用いられる太陽光採光装置における原点位置検出装置の改良に関する。
【０００２】
【従来の技術】
図２は、本発明に係る太陽光採光装置の全体構成を示す平面図、
図３は、従来の太陽光採光装置の原点位置検出装置を示すもので、（Ａ）は平面図、（Ｂ）は（Ａ）に示す原点スイッチのアクチュエータ部の側面説明図である。
まず、本発明に係る太陽光採光装置の全体構成について図２を参照して説明する。
採光プリズム１の外方に配置される採光プリズム１と同心状に設けられた回転リング２は、採光プリズム１と同質材料（ポリカーボネート等）で形成される例えば４個の保持板３ａ〜３ｄを図示のように交叉して配置することにより、採光プリズム１と回転リング２とが一体的に回転されるように構成されている。
又、回転リング２の外周にはギヤ２ａ（図３（Ａ）参照）が刻設されており、回転駆動装置７の駆動ギヤ８よりトルクを与えられ回転リング２が回転するようになっている。尚、４は回転リング２の支持枠である。
一方、原点位置検出装置は、図２に示すように、原点スイッチ１０と原点ドック１１とを含み、原点スイッチ１０は、例えば、回転駆動装置７の位置から反時計方向約９０°の位置（図２参照）に、支持枠４に固定される支持台５に取り付けられ、回転リング２の周辺上面の原点に取り付けられる原点ドック１１によってＯＮ−ＯＦＦの作動が行われる。
つぎに、従来の太陽光採光装置の原点位置検出装置について図３を参照して説明する。
図３は、従来の太陽光採光装置の原点位置検出装置を示すもので、（Ａ）は平面図、（Ｂ）は（Ａ）に示す原点スイッチのアクチュエータ部の側面説明図である。
原点位置検出装置については、図３に示されるように、原点ドック１１は鉄板製で逆Ｖ字形のカム面１１ａを有し、原点スイッチ１０はマイクロスイッチ型で、ステンレス鋼板製のアクチュエータ部１０ａの先端に半円形部１０ｂが形成された滑り型式のもので、この半円形部１０ｂが回転リング２の回転に伴い、原点ドック１１のカム面１１ａに接触、摺動して図で反時計方向に枢動して原点スイッチ１０にＯＮ−ＯＦＦの信号を発信させる。
図３（Ａ）はアクチュエータ部１０ａが原点ドック１１に押し上げられた位置を示す。
【０００３】
【発明が解決しようとする課題】
ところで、図３に示される原点位置検出装置においては、原点ドック１１のカム面１１ａが原点スイッチ１０のアクチュエータ部１０ａを滑りながら押し上げるときに反作用として受ける押圧力は、回転リング２を回転させる回転駆動装置（図２参照）のモータに過負荷を与えるので、前記の押圧力を減少させることが要望されていた。
【０００４】
【課題を解決するための手段】
本発明は、上述の問題を解決するために、
第１の発明として、採光プリズムの回転角を太陽の高度・方位に応じて制御し、前記採光プリズムにより屈折した太陽光が所定方向に出射するようにした太陽光採光装置において、原点位置検出装置は、前記採光プリズムの原点となる前記採光プリズムと一体の回転リングの外周部の基準位置に設けられる原点ドックと、前記回転リングの回転軌跡中で前記原点ドックによって作動される原点スイッチとを含んでおり、前記原点スイッチはコロ型式のアクチュエータ部を有する太陽光採光装置における原点位置検出装置を提供し、
第２の発明として、採光プリズムの回転角を太陽の高度・方位に応じて制御し、前記採光プリズムにより屈折した太陽光が所定方向に出射するようにした太陽光採光装置において、原点位置検出装置は、前記採光プリズムの原点となる前記採光プリズムの外周部の基準位置に設けられる原点ドックと、前記採光プリズムの回転軌跡中で前記原点ドックによって作動される原点スイッチとを含んでおり、前記原点スイッチはコロ型式のアクチュエータ部を有する太陽光採光装置における原点位置検出装置を提供しようとするものである。
【０００５】
【発明の実施の形態】
以下、本発明による太陽光採光装置における原点位置検出装置の実施の形態について図１を参照して説明する。
図１は、本発明による太陽光採光装置における原点位置検出装置の第１の発明に対応する実施の形態を示すもので、（Ａ）は平面図、（Ｂ）は（Ａ）に示す原点スイッチのアクチュエータの側面説明図である。
図１において図３と同じ部品には同じ符号を付し、異なる点のみを説明する。本発明は、採光プリズムの回転角を太陽の高度・方位に応じて制御し、前記採光プリズムにより屈折した太陽光が所定方向に出射するようにした太陽光採光装置におけるものであって、原点位置検出装置は、図１に示すように、前記採光プリズム１の原点となる前記採光プリズム１と一体の回転リング２の外周部の基準位置に設けられる原点ドック１１と、前記回転リング２の回転軌跡中で前記原点ドック１１によって作動される原点スイッチ２０とを含んでいるものである。
図１に示す原点スイッチ２０のアクチュエータ部２０ａはステンレス鋼板製で、先端に２個のローラ部２０ｂ（図１（Ｂ）参照）が回転リング２の回転平面に垂直な軸線を有するように取り付けられているコロ型式のものである。
回転リング２が回転するに従い、ローラ部２０ｂが原点ドック１１のカム面１１ｂに沿って転動して原点スイッチ２０がＯＮ−ＯＦＦの信号を発することは図３の場合と全く同様であるが、原点ドック１１が受ける反作用としての押圧力は図３に示す原点スイッチ１０の場合より遥かに小さくなる。
尚、図１（Ａ）はアクチュエータ部２０ａがカム面１１ｂに押された位置を示す。
【０００６】
上記第１の発明に対応する実施の形態では、採光プリズムを回転リングを介して駆動する構造の太陽光採光装置の場合で説明したが、第２の発明に対応するものとして採光プリズムを直接駆動する構造の太陽光採光装置に対しても、その採光プリズムの外周部の原点となる基準位置に原点ドックを設け、この原点ドックを作動するコロ型式のアクチュエータ部を対応位置に配置することにより原点位置検出を行えることは勿論である。
【０００７】
【発明の効果】
本発明による太陽光採光装置における原点位置検出装置は、上述のように構成されているので、原点スイッチと原点ドックとの係合が「滑り」から「転がり」に改良されて、回転駆動装置のモータのトルクを大幅に減少することができる。実験機において、従来型のものと本発明のものとで比較した場合、押圧力が５７０ｇから１７０ｇに低下することが確認されている。
【図面の簡単な説明】
【図１】本発明による太陽光採光装置における原点位置検出装置の実施の形態を示すもので、（Ａ）は平面図、（Ｂ）は（Ａ）に示す原点スイッチのアクチュエータ部の側面説明図である。
【図２】本発明に係る太陽光採光装置の全体構成を示す平面図である。
【図３】従来の太陽光採光装置の原点位置検出装置を示すもので、（Ａ）は平面図、（Ｂ）は（Ａ）に示す原点スイッチのアクチュエータ部の側面説明図である。
【符号の説明】
１：採光プリズム
２：回転リング
１１：原点ドック
２０：原点スイッチ
２０ａ：アクチュエータ部
２０ｂ：ローラ部
【図１】
0003619615.tif 000002
【図２】
0003619615.tif 000003
【図３】
0003619615.tif 000004